(57)【要約】【課題】蛍光管の交換、又は光学シートの交換・調整を行うときに分離した部品を載置するために必要な場所を最小限に留め、短時間で、蛍光管及び光学シートの交換、並びに光学シートの調整を行うことができる表示装置を提供する。【解決手段】表示パネル１の正面側に配置されるベゼル４と、表示パネル１と、表示パネル１の背面に配置されるフレーム５とを有する第１ユニットＵ１を設け、第１ユニットＵ１及び光学シート９を連結して第２ユニットＵ２を形成し、第２ユニットＵ２及び蛍光管１５を支持するバックライトシャーシ１０を連結することにより、蛍光管１５を交換するときには、第２ユニットＵ２とバックライトシャーシ１０とを分離し、光学シート９を交換又は調整するときには、第１ユニットＵ１と光学シート９とを分離する構成とした。【選択図】図２
2009115917.tif 000002
【特許請求の範囲】
【請求項１】
映像を表示する表示パネルの正面側に配置してある枠体と、前記表示パネルの背面側に配置してあり、前記表示パネルを支持するパネル支持体と、該パネル支持体の背面側に配置してあり、発光体を支持するシャーシと、前記発光体の光を拡散して前記表示パネルに照射する光学シートとを備える表示装置において、
前記枠体、表示パネル、及びパネル支持体を連結してあり、
前記パネル支持体と前記光学シートとを連結してあり、
前記光学シートと前記シャーシとを連結してあり、
前記パネル支持体と前記光学シートとの連結、及び前記光学シートと前記シャーシとの連結の少なくとも一方を解除することができるようにしてあること
を特徴とする表示装置。
【請求項２】
前記光学シートを支持するシート支持部を備え、
前記枠体及びパネル支持体の少なくとも一方、並びに前記シート支持部にそれぞれ開設してある第１孔部に第１固定部材を挿入し、前記枠体、表示パネル、パネル支持体及びシート支持部を固定して、前記パネル支持体と前記光学シートとを連結してあることを特徴とする請求項１に記載の表示装置。
【請求項３】
前記第１固定部材はビスであり、
前記シート支持部に開設してある第１孔部はビス孔であり、
前記枠体及びパネル支持体の少なくとも一方に開設してある第１孔部に前記ビスを挿入し、前記ビス孔に前記ビスを螺合させてあること
を特徴とする請求項２に記載の表示装置。
【請求項４】
前記枠体及びパネル支持体の少なくとも一方、並びに前記シャーシにそれぞれ開設してある第２孔部に第２固定部材を挿入し、前記枠体、表示パネル、パネル支持体、シート支持部、及びシャーシを固定して、前記光学シートと前記シャーシとを連結してあることを特徴とする請求項２又は３に記載の表示装置。
【請求項５】
前記シャーシを補強する補強体を備え、該補強体にビス孔を開設してあり、
前記第２固定部材はビスであり、該ビスを、前記第２孔部に挿入し、前記補強体に開設してあるビス孔に螺合させてあること
を特徴とする請求項４に記載の表示装置。
【請求項６】
前記シャーシを補強する補強体と、
前記シート支持部及び補強体を連結する連結板と
を備えることを特徴とする請求項２又は３に記載の表示装置。
【請求項７】
前記シート支持部又は補強体の少なくとも一方にビス孔を開設してあり、
該ビス孔に対応する貫通孔を前記連結板に設けてあり、
前記貫通孔にビスを挿通し、前記ビス孔に螺合させてあること
を特徴とする請求項６に記載の表示装置。 
【発明の詳細な説明】
【技術分野】
【０００１】
本発明は映像を表示する表示装置に関する。
【背景技術】
【０００２】
従来の表示装置、例えば液晶表示装置は、バックライトシャーシに設けてある蛍光管の正面側に、光を拡散する光学シート、表示パネルの枠体としてのフレーム、映像を表示する表示パネル、及び該表示パネルを前記フレームに固定するベゼルを順に設けてあり、前記光学シートの耐用年数が経過したときには、前記ベゼル、表示パネル、及びフレームを順次取り外して、前記光学シートを交換し、前記蛍光管の耐用年数が経過したときには、前記ベゼル、表示パネル、フレーム及び光学シートを順次取り外して蛍光管を交換していた。また光学シートの位置が偏倚したときにも、前記ベゼル、表示パネル、及びフレームを順次取り外して、光学シートの位置を調整し、前記表示パネルに表示された映像に色ムラが発生しないようにしていた（特許文献１参照）。
【特許文献１】特開２００３−１６１９２８号公報
【発明の開示】
【発明が解決しようとする課題】
【０００３】
特許文献１に記載の液晶表示装置は、蛍光管の交換の度に、取り外したベゼル、表示パネル、フレーム及び光学シートをそれぞれ載置する場所を確保する必要がある上、前記ベゼル、表示パネル、フレーム及び光学シートの取り外しには長時間を要する。また光学シートを交換・調整するときにも同様な問題が生じる。
【０００４】
本発明は斯かる事情に鑑みてなされたものであり、映像を表示する表示パネルの正面側に枠体、例えばベゼルを配置し、前記表示パネルの背面側に、前記表示パネルを支持するパネル支持体、例えばフレームを配置し、該パネル支持体の背面側に発光体を支持するシャーシを配置し、該シャーシ及びパネル支持体の間に、前記発光体の光を拡散して前記表示パネルに照射する光学シートを配置し、前記枠体、表示パネル、及びパネル支持体を連結して、前記枠体、表示パネル、及びパネル支持体を有する第１ユニットを形成し、更に該第１ユニットと、前記光学シートとを連結して第２ユニットを形成し、更に該第２ユニットと、前記シャーシとを連結することにより、前記発光体を交換するときには、前記第２ユニットと、前記シャーシとの連結を解除して、前記シャーシを分離し、前記シャーシに支持されている発光体を交換し、前記光学シートを交換又は調整するときには、前記第１ユニットと、前記光学シートとの連結を解除し、前記光学シートを分離して、前記光学シートの交換及び調整を行い、分離する部品点数を減少させて、分離した部品を載置するために必要な場所を最小限に留め、短時間で、前記蛍光管及び光学シートの交換、並びに光学シートの調整を行うことができる表示装置を提供することを目的とする。
【課題を解決するための手段】
【０００５】
本発明に係る表示装置は、映像を表示する表示パネルの正面側に配置してある枠体と、前記表示パネルの背面側に配置してあり、前記表示パネルを支持するパネル支持体と、該パネル支持体の背面側に配置してあり、発光体を支持するシャーシと、前記発光体の光を拡散して前記表示パネルに照射する光学シートとを備える表示装置において、前記枠体、表示パネル、及びパネル支持体を連結してあり、前記パネル支持体と前記光学シートとを連結してあり、前記光学シートと前記シャーシとを連結してあり、前記パネル支持体と前記光学シートとの連結、及び前記光学シートと前記シャーシとの連結の少なくとも一方を解除することができるようにしてあることを特徴とする。
【０００６】
本発明においては、映像を表示する表示パネルの正面側に枠体、例えばベゼルを配置し、前記表示パネルの背面側に、前記表示パネルを支持するパネル支持体、例えばフレームを配置し、該パネル支持体の背面側に発光体を支持するシャーシを配置し、該シャーシ及びパネル支持体の間に、前記発光体の光を拡散して前記表示パネルに照射する光学シートを配置し、前記枠体、表示パネル、及びパネル支持体を連結して、前記枠体、表示パネル、及びパネル支持体を有する第１ユニットを形成し、更に該第１ユニットと、前記光学シートとを連結して第２ユニットを形成し、該第２ユニットに前記シャーシを連結することにより、前記発光体を交換するときには、前記第２ユニットと、前記シャーシとの連結を解除して、前記シャーシを分離し、前記シャーシに支持されている発光体を交換し、前記光学シートを交換又は調整するときには、前記第１ユニットと、前記光学シートとの連結を解除して、前記光学シートの交換及び調整を行う。
【０００７】
また本発明に係る表示装置は、前記光学シートを支持するシート支持部を備え、前記枠体及びパネル支持体の少なくとも一方、並びに前記シート支持部にそれぞれ開設してある第１孔部に第１固定部材を挿入し、前記枠体、表示パネル、パネル支持体及びシート支持部を固定して、前記パネル支持体と前記光学シートとを連結してあることを特徴とする。
【０００８】
本発明においては、前記光学シートを支持するシート支持部を設け、前記枠体及びパネル支持体の少なくとも一方、並びに前記シート支持部にそれぞれ開設してある第１孔部に、前記枠体、表示パネル、パネル支持体及びシート支持部を固定する第１固定部材を挿入して、前記枠体、表示パネル、パネル支持体及びシート支持部を固定することにより、前記光学シートの交換及び調整を行うときには、前記第１固定部材を前記第１孔部から取り外して、前記光学シートと、前記第１ユニットとを分離する。
【０００９】
また本発明に係る表示装置は、前記第１固定部材はビスであり、前記シート支持部に開設してある第１孔部はビス孔であり、前記枠体及びパネル支持体の少なくとも一方に開設してある第１孔部に前記ビスを挿入し、前記ビス孔に前記ビスを螺合させてあることを特徴とする。
【００１０】
本発明においては、ビスを挿入する孔部を、前記枠体及びパネル支持体の少なくとも一方に開設し、前記シート支持部にビス孔を設けることにより、ビスを前記孔部に挿入して、前記ビス孔に螺合し、前記光学シートの交換及び調整を行うときには、前記ビスを前記ビス孔から取り外して、前記光学シートと、前記第１ユニットとを分離する。
【００１１】
また本発明に係る表示装置は、前記枠体及びパネル支持体の少なくとも一方、並びに前記シャーシにそれぞれ開設してある第２孔部に第２固定部材を挿入し、前記枠体、表示パネル、パネル支持体、シート支持部、及びシャーシを固定して、前記光学シートと前記シャーシとを連結してあることを特徴とする。
【００１２】
本発明においては、前記枠体及びパネル支持体の少なくとも一方、並びに前記シャーシに第２孔部をそれぞれ開設し、該第２孔部に、前記枠体、表示パネル、パネル支持体、シート支持部、及びシャーシを固定する第２固定部材を挿入して、前記枠体、表示パネル、パネル支持体、シート支持部、及びシャーシを固定することにより、前記発光体を交換するときに、前記第２固定部材を前記第２孔部から取り外して、前記シャーシと、前記第２ユニットとを分離する。
【００１３】
また本発明に係る表示装置は、前記シャーシを補強する補強体を備え、該補強体にビス孔を開設してあり、前記第２固定部材はビスであり、該ビスを、前記第２孔部に挿入し、前記補強体に開設してあるビス孔に螺合させてあることを特徴とする。
【００１４】
本発明においては、前記シャーシを補強する補強体を設け、該補強体にビスを螺合するビス孔を設けることにより、前記ビスを、前記枠体及びパネル支持体の少なくとも一方、並びに前記シャーシに開設してある孔部に挿入して、前記ビス孔に螺合し、前記発光体の交換を行うときには、前記ビスを前記ビス孔から取り外して、前記シャーシと、前記第２ユニットとを分離する。
【００１５】
また本発明に係る表示装置は、前記シャーシを補強する補強体と、前記シート支持部及び補強体を連結する連結板とを備えることを特徴とする。
【００１６】
本発明においては、前記シャーシを補強する補強体と、前記シート支持部とを連結する連結板を設けることにより、前記光学シートと、前記シャーシとを連結し、前記発光体を交換するときに、前記連結板を取り外して、前記光学シートと、前記シャーシとを分離し、また前記光学シートの交換及び調整を行うときには、前記連結板にて前記シート支持部及び補強体を連結しておき、前記第１ユニットと、前記シート支持部との連結を解除する。
【００１７】
また本発明に係る表示装置は、前記シート支持部又は補強体の少なくとも一方にビス孔を開設してあり、該ビス孔に対応する貫通孔を前記連結板に設けてあり、前記貫通孔にビスを挿通し、前記ビス孔に螺合させてあることを特徴とする。
【００１８】
本発明においては、前記連結板に貫通孔を設け、該貫通孔に対応するビス孔を前記シート支持部又は補強体に設けることにより、前記貫通孔にビスを挿通し、前記ビス孔に螺合させて、前記光学シートと、前記シャーシとを連結し、前記発光体を交換するときに、前記ビスの螺合を解除して、前記光学シートと、前記シャーシとを分離し、前記光学シートの交換及び調整を行うときには、前記ビスを螺合させておき、前記第１ユニットと、前記シート支持部との連結を解除する。
【発明の効果】
【００１９】
本発明に係る表示装置にあっては、映像を表示する表示パネルの正面側に枠体、例えばベゼルを配置し、前記表示パネルの背面側に、前記表示パネルを支持するパネル支持体、例えばフレームを配置し、該パネル支持体の背面側に発光体を支持するシャーシを配置し、該シャーシ及びパネル支持体の間に、前記発光体の光を拡散して前記表示パネルに照射する光学シートを配置し、前記枠体、表示パネル、及びパネル支持体を連結して、前記枠体、表示パネル、及びパネル支持体を有する第１ユニットを形成し、更に該第１ユニットと、前記光学シートとを連結して第２ユニットを形成し、更に該第２ユニットと前記シャーシとを連結することにより、前記発光体を交換するときには、前記第２ユニットと、前記シャーシとの連結を解除して、前記シャーシを分離し、前記シャーシに支持されている発光体を交換し、前記光学シートを交換又は調整するときには、前記第１ユニットと、前記光学シートとの連結を解除し、前記光学シートを分離して、前記光学シートの交換及び調整を行い、分離する部品点数を減少させて、分離した部品を載置するために必要な場所を最小限に留め、短時間で、前記蛍光管及び光学シートの交換、並びに光学シートの調整を行うことができる。
【発明を実施するための最良の形態】
【００２０】
（実施の形態１）
以下本発明を実施の形態１に係る液晶表示装置の図面に基づいて詳述する。図１は液晶表示装置の模式的外観図、図２は図１に示すＩＩ―ＩＩ線での略示拡大部分断面図である。
【００２１】
図において１は、液晶により画像を表示する矩形の表示パネルである。該表示パネル１の正面側に外装としてのフロントキャビネット２が設けてあり、背面側に外装としてのリヤキャビネット３が設けてある。両キャビネットの内側にて、前記表示パネル１の正面側周縁部にベゼル４が設けてある。該ベゼル４は、前記表示パネル１を配置する矩形開口４ａ′を、その中央部に開設してある矩形の環状板部４ａを備えており、また該環状板部４ａの外縁から背面側に延出している角筒部４ｂを備える。前記表示パネル１の背面側に、表示パネル１を支持するフレーム５を設けてある。該フレーム５は、前記表示パネル１を配置する矩形開口５ａ′を、その中央部に開設してある矩形の環状板部５ａを備えており、また該環状板部５ａの外縁から背面側に延出している角筒部５ｂを備える。前記環状板部５ａは、前記環状板部４ａの背面に対向している。また前記角筒部５ｂは前記角筒部４ｂの内側に位置している。
【００２２】
前記環状板部４ａ及び環状板部５ａの間にて、前記矩形開口４ａ′及び矩形開口５ａ′に対応した位置に前記表示パネル１が配設してある。前記環状板部４ａと、前記表示パネル１との間、及び前記環状板部５ａと、前記表示パネル１との間には、前記表示パネル１を支持する複数の支持弾性体６、６、・・・がそれぞれ設けてある。前記環状板部４ａに貫通孔４０が開設してあり、該貫通孔４０に対応するビス孔５０が前記環状板部５ａに設けてある。前記貫通孔４０に正面側からビスＡを挿入し、該ビスＡをビス孔５０に螺合させて、前記表示パネル１を、前記ベゼル４及びフレーム５の間で前記支持弾性体６、６、・・・を介して係止し、前記ベゼル４、表示パネル１及びフレーム５を含む第１ユニットＵ１が形成されている。
【００２３】
前記第１ユニットＵ１の背面側に、細長い角筒状のシート側補強体７が、前記角筒部５ｂの上側面内側に沿って設けてあり、該シート側補強体７の正面側に、後述する光学シート９を支持するシート支持板８が設けてある。該シート支持板８は、前記シート側補強体７に対向してシート側補強体７に固定されている固定板部８ａを備えており、また該固定板部８ａの、前記矩形開口５ａ′側の端部から正面に向けて突出した突出板部８ｂを備え、該突出板部８ｂの突出端部から前記矩形開口５ａ′側に延出した延出板部８ｃを備える（後述する図４参照）。前記延出板部８ｃ及びシート側補強体７の間で、光を拡散して前記表示パネルに照射する光学シート９が挟着支持してある。なお前記シート支持板８及びシート側補強体７により前記光学シート９を支持するシート支持部が構成されている。
【００２４】
前記環状板部４ａの前記貫通孔４０の近傍に、貫通孔４１が開設してあり、該貫通孔４１に対応する貫通孔５１が前記環状板部５ａに開設してある。また前記貫通孔４１、５１に対応するビス孔７１が前記シート側補強体７に開設してある。前記貫通孔４１及び貫通孔５１に正面側からビスＢを挿入し、該ビスＢを前記ビス孔７１に螺合させて、前記第１ユニットＵ１、光学シート９及びシート側補強体７を含む第２ユニットＵ２が形成されている。
【００２５】
前記シート側補強体７の背面側に、複数の蛍光管１５を支持するバックライトシャーシ１０が設けてある。該バックライトシャーシ１０は、蛍光管１５を保持する複数の蛍光管ホルダ１６が設けてある背面板部１０ａを備え、また該背面板部１０ａの周縁部から正面に向けて延出している角筒状の側面部１０ｂを備える。該側面部１０ｂは、前記角筒部４ｂ及び角筒部５ｂの外側に周設してある。
前記角筒部５ｂの内側に、前記シート側補強体７及び背面板部１０ａに隣接させて、細長い角筒状のシャーシ側補強体２０が、前記角筒部５ｂの上側面に沿って設けてある。該シャーシ側補強体２０は、前記バックライトシャーシ１０に設けてある固定板１７を介して、前記背面板部１０ａに固定してある。
【００２６】
前記側面部１０ｂに貫通孔１２が開設してあり、該貫通孔１２に対応する二つの貫通孔４２、５２が、前記角筒部４ｂ及び角筒部５ｂにそれぞれ開設してある。また前記三つの貫通孔１２、４２、５２に対応するビス孔２２が前記シャーシ側補強体２０に設けてある。
前記三つの貫通孔１２、４２、５２にビスＣを挿入し、該ビスＣを前記ビス孔２２に螺合させて、前記第２ユニットＵ２、シャーシ側補強体２０、及びバックライトシャーシ１０を係止している。また前記背面板部１０ａに、直流電流を交流電流に変換するインバータ１８を設けてあり、該インバータ１８は前記蛍光管１５に給電している。
【００２７】
次に液晶表示装置の分解について説明する。図３はビスＣを取り外した場合の液晶表示装置の分解を説明する説明図である。
蛍光管１５を交換するときには、前記ビスＣの前記シャーシ側補強体２０への螺合を解除して、前記ビスＣを液晶表示装置から取り外す。次に前記第２ユニットＵ２を正面側に移動させて、図３に示す如く、前記第２ユニットＵ２と、前記バックライトシャーシ１０及びシャーシ側補強体２０とを分離し、前記蛍光管ホルダ１６に保持された蛍光管１５を露出させる。そして露出した蛍光管１５を蛍光管ホルダ１６から取り外し、蛍光管１５の交換を行う。
【００２８】
図４はビスＢ及びビスＣを取り外した場合の液晶表示装置の分解を説明する説明図である。
光学シート９の調整又は交換を行うときには、前記ビスＣの前記シャーシ側補強体２０への螺合を解除して、前記ビスＣを液晶表示装置から取り外す。そして前記ビスＢの前記シート側補強体７への螺合を解除して、前記ビスＢを液晶表示装置から取り外す。次に前記第１ユニットＵ１を正面側に移動させて、図４に示す如く、前記第１ユニットＵ１と、前記シート支持板８、光学シート９、及びシート側補強体７とを分離し、前記シート支持板８及びシート側補強体７により挟着してある光学シート９を露出する。そして露出した光学シート９を前記シート支持板８及びシート側補強体７から取り外して交換するか、又は光学シート９の位置を調整する。
【００２９】
実施の形態１に係る液晶表示装置にあっては、蛍光管１５を支持するバックライトシャーシ１０の正面側に光を拡散する光学シート９を設け、該光学シート９の正面側に、映像を表示する表示パネル１を支持するフレーム５を設け、該フレーム５の正面側にベゼル４を設け、該ベゼル４、表示パネル１、及びフレーム５を連結して、前記第１ユニットＵ１を形成し、更に前記第１ユニットＵ１と、前記光学シート９とを連結して、前記第２ユニットＵ２を形成し、更に前記第２ユニットＵ２と、前記バックライトシャーシ１０とを連結することにより、前記蛍光管１５を交換するときには、前記第２ユニットＵ２と、前記バックライトシャーシ１０との連結を解除し、前記第２ユニットＵ２と、前記バックライトシャーシ１０とを分離して、前記バックライトシャーシ１０に支持されている蛍光管１５を交換し、前記光学シート９を交換又は調整するときには、前記第１ユニットＵ１と、前記光学シート９とを分離して、前記光学シート９の交換及び調整を行い、分離する部品点数を減少させて、分離した部品を載置するために必要な場所を最小限に留め、短時間で、前記蛍光管１５及び光学シート９の交換、並びに光学シート９の調整を行うことができる。特に１００インチを超えるような大型の液晶表示装置において、広大な場所を確保することなく、短時間で、前記蛍光管１５及び光学シート９の交換、並びに光学シート９の調整を行うことができる。
【００３０】
また前記光学シート９を支持するシート側補強体７及びシート支持板８を設け、前記ベゼル４、及びフレーム５にそれぞれ開設してある貫通孔４１、５１に、前記ビスＢを挿入し、前記シート側補強体７に設けてあるビス孔７１に、螺合させて、前記ベゼル４、表示パネル１、フレーム５、シート側補強体７及びシート支持板８を連結することにより、前記光学シート９の交換及び調整を行うときには、前記ビスＢを前記貫通孔４１、５１及びビス孔７１から取り外して、前記光学シート９と、前記第１ユニットＵ１とを分離し、分離した部品を載置するために必要な場所を最小限に留め、短時間で、前記光学シート９の交換・調整を行うことができる。
【００３１】
また前記ベゼル４、フレーム５及びバックライトシャーシ１０に三つの前記貫通孔４２、５２、１２をそれぞれ開設し、前記シャーシ側補強体２０にビス孔２２を設け、前記ビスＣを前記貫通孔４２、５２、１２に挿入し、前記ビス孔２２に螺合させて前記第２ユニットＵ２と前記バックライトシャーシ１０とを連結することにより、前記蛍光管１５を交換するときには、前記ビスＣを前記貫通孔４２、５２、１２及びビス孔２２から取り外して、前記バックライトシャーシ１０と前記第２ユニットＵ２とを分離し、分離した部品を載置するために必要な場所を最小限に留め、短時間で、前記蛍光管１５を交換することができる。
【００３２】
なおビスＢ、Ｃを使用せずに、前記ビス孔２２、７１を貫通孔にして、貫通孔の直径の寸法と、略同寸の直径を有する棒体を貫通孔に挿入して、前記ベゼル４等を係止しても良い。またビスＡ、ビスＢ及びビスＣをそれぞれ複数使用して、前記ユニットＵ１、及びユニットＵ２を形成し、ユニットＵ２とバックライトシャーシ１０とを連結しても良い。またビスＡ、ビスＢ及びビスＣは液晶表示装置に限らず、その他の表示装置に使用しても良い。またビスＡ、ビスＢ及びビスＣに替えて、バンド、クランプ等を使用しても良い。
【００３３】
（実施の形態２）
以下本発明を実施の形態２に係る液晶表示装置を示す図面に基づいて詳述する。図５は液晶表示装置の略示拡大部分断面図である。
【００３４】
前記角筒部５ｂは、前記シート側補強体７よりも正面側に位置している。前記角筒部４ｂの上側面であって、前記シート側補強体７に対向する部分に貫通孔４３が設けてある。また該貫通孔４３に対応するビス孔７２が前記シート側補強体７に開設してある。前記貫通孔４３にビスＢを挿通して、前記ビス孔７２に螺合させあり、前記ベゼル４と前記シート側補強体７とを固定してある。
また前記ビスＣを前記貫通孔１２及び貫通孔４２に挿通して、前記ビス孔２２に螺合させてあり、前記ベゼル４と前記バックライトシャーシ１０とを固定してある。
【００３５】
実施の形態２に係る液晶表示装置にあっては、前記蛍光管１５を交換するときには、前記ビスＣを取り外して、前記第２ユニットＵ２と、前記バックライトシャーシ１０との連結を解除し、前記第２ユニットＵ２と、前記バックライトシャーシ１０とを分離して、前記バックライトシャーシ１０に支持されている蛍光管１５を交換し、前記光学シート９を交換又は調整するときには、更に前記ビスＢを取り外して、前記第１ユニットＵ１と、前記光学シート９とを分離して、前記光学シート９の交換及び調整を行い、分離する部品点数を減少させて、分離した部品を載置するために必要な場所を最小限に留め、短時間で、前記蛍光管１５及び光学シート９の交換、並びに光学シート９の調整を行うことができる。
【００３６】
実施の形態２に係る液晶表示装置の構成の内、実施の形態１と同様な構成については、同じ符号を付しその詳細な説明を省略する。
【００３７】
（実施の形態３）
以下本発明を実施の形態３に係る液晶表示装置を示す図面に基づいて詳述する。図６は液晶表示装置の略示拡大部分断面図である。
【００３８】
前記角筒部４ｂは、前記シート側補強体７よりも正面側に位置している。前記角筒部５ｂの上側面であって、前記シート側補強体７に対向する部分に貫通孔５３が設けてある。また該貫通孔５３に対応するビス孔７３が前記シート側補強体７に開設してある。前記貫通孔５３にビスＢを挿通して、前記ビス孔７３に螺合させて、前記フレーム５と前記シート側補強体７とを固定してある。
また前記ビスＣを前記貫通孔１２及び貫通孔５２に挿通して、前記ビス孔２２に螺合させて、前記フレーム５と前記バックライトシャーシ１０とを固定してある。
【００３９】
実施の形態３に係る液晶表示装置にあっては、前記蛍光管１５を交換するときには、前記ビスＣを取り外して、前記第２ユニットＵ２と、前記バックライトシャーシ１０との連結を解除し、前記第２ユニットＵ２と、前記バックライトシャーシ１０とを分離して、前記バックライトシャーシ１０に支持されている蛍光管１５を交換する。また前記光学シート９を交換又は調整するときには、更に前記ビスＢを取り外して、前記第１ユニットＵ１と、前記光学シート９とを分離して、前記光学シート９の交換及び調整を行う。これにより、分離する部品点数を減少させて、分離した部品を載置するために必要な場所を最小限に留め、短時間で、前記蛍光管１５及び光学シート９の交換、並びに光学シート９の調整を行うことができる。
【００４０】
実施の形態３に係る液晶表示装置の構成の内、実施の形態１又は２と同様な構成については、同じ符号を付しその詳細な説明を省略する。
【００４１】
（実施の形態４）
以下本発明を実施の形態４に係る液晶表示装置を示す図面に基づいて詳述する。図７は液晶表示装置の略示拡大部分断面図である。
【００４２】
前記シート側補強体７及びシャーシ側補強体２０を連結する連結板２５が、前記シート側補強体７及びシャーシ側補強体２０に亘って配置してある。該連結板２５の前記シート側補強体７寄りに、貫通孔２６が設けてあり、該連結板２５の前記シャーシ側補強体２０寄りに、貫通孔２７が設けてある。前記貫通孔２６に対応するビス孔７４が、前記シート側補強体７に開設してあり、該ビス孔７４は雌ねじになっている。また前記貫通孔２７に対応するビス孔２３が、前記シャーシ側補強体２０に開設してあり、該ビス孔２３は雌ねじになっている。
前記貫通孔２６にビスＤを挿通して、前記ビス孔７４に螺合してある。また前記貫通孔２７にビスＥを挿通して、前記ビス孔２３に螺合してある。
【００４３】
次に液晶表示装置の分解について説明する。図８はビスＢを取り外した場合の液晶表示装置の分解を説明する説明図である。
【００４４】
光学シート９の調整又は交換を行うときには、前記ビスＢの前記シート側補強体７への螺合を解除して、前記ビスＢを液晶表示装置から取り外す。次に前記第１ユニットＵ１を正面側に移動させて、図８に示す如く、前記第１ユニットＵ１と、前記シート支持板８、光学シート９、及びシート側補強体７とを分離し、前記シート支持板８及びシート側補強体７により挟着してある光学シート９を露出する。そして露出した光学シート９を前記シート支持板８及びシート側補強体７から取り外して交換するか、又は光学シート９の位置を調整する。
【００４５】
図９はビスＢ、ビスＤ及びビスＥを取り外した場合の液晶表示装置の分解を説明する説明図である。
蛍光管１５を交換するときには、前記第１ユニットＵ１を正面側に移動させた後に、前記ビスＤの前記シート側補強体７への螺合を解除し、また前記ビスＥの前記シャーシ側補強体２０への螺合を解除する。そして前記連結板２５を液晶表示装置から取り外す。次に前記シート側補強体７、シート支持板８及び光学シート９を正面側に移動させて、図９に示す如く、前記蛍光管ホルダ１６に保持された蛍光管１５を露出させる。そして露出した蛍光管１５を蛍光管ホルダ１６から取り外し、蛍光管１５の交換を行う。
【００４６】
実施の形態４に係る液晶表示装置にあっては、前記シート側補強体７及びシャーシ側補強体２０に連結板２５を設けて、該連結板２５に貫通孔２６、及び貫通孔２７を設け、該貫通孔２６、２７に対応するビス孔７４、及びビス孔２３を前記シート側補強体７及びシャーシ側補強体２０にそれぞれ設けることにより、前記ビスＤ、及びビスＥを前記貫通孔２６、２７に挿通して、前記ビス孔７４、２３に螺合させ、前記光学シート９と、前記バックライトシャーシ１０とを連結し、前記蛍光管１５を交換するときに、前記ビスＤ、Ｅの螺合を解除して、前記光学シート９と、前記シャーシ１０とを分離する。また前記光学シート９の交換及び調整を行うときには、前記ビスＤ、Ｅを螺合させておき、前記第１ユニットＵ１と、前記シート側補強体７との連結を解除し、前記シート側補強体７と、前記シャーシ側補強体２０との連結を解除することなく、光学シート９の交換及び調整を迅速に行うことができる。
【００４７】
なお、前記貫通孔２６及びビス孔７４を設けることなく、前記連結板２５と前記シート側補強体７とを一体にし、前記ビスＥの螺合又は取り外しにより、前記シート側補強体７と、前記シャーシ側補強体２０とを連結するか又は連結を解除する構成にしても良い。また前記貫通孔２７及びビス孔２３を設けることなく、前記連結板２５と前記シャーシ側補強体２０とを一体にし、前記ビスＤの螺合又は取り外しにより、前記シート側補強体７と、前記シャーシ側補強体２０とを連結するか又は連結を解除する構成にしても良い。
【００４８】
実施の形態４に係る液晶表示装置の構成の内、実施の形態１乃至３と同様な構成については同じ符号を付し、その詳細な説明を省略する。
【図面の簡単な説明】
【００４９】
【図１】実施の形態１に係る液晶表示装置の模式的外観図である。
【図２】実施の形態１に係る図１に示すＩＩ―ＩＩ線での略示拡大部分断面図である。
【図３】実施の形態１に係るビスＣを取り外した場合の液晶表示装置の分解を説明する説明図である。
【図４】実施の形態１に係るビスＢ及びビスＣを取り外した場合の液晶表示装置の分解を説明する説明図である。
【図５】実施の形態２に係る液晶表示装置の略示拡大部分断面図である。
【図６】実施の形態３に係る液晶表示装置の略示拡大部分断面図である。
【図７】実施の形態４に係る液晶表示装置の略示拡大部分断面図である。
【図８】実施の形態４に係るビスＢを取り外した場合の液晶表示装置の分解を説明する説明図である。
【図９】実施の形態４に係るビスＢ、ビスＤ及びビスＥを取り外した場合の液晶表示装置の分解を説明する説明図である。
【符号の説明】
【００５０】
１  表示パネル
４  ベゼル（枠体）
５  フレーム（パネル支持体）
７  シート側補強体（シート支持部）
８  シート支持板（シート支持部）
９  光学シート
１５  蛍光管（発光体）
４１、５１  貫通孔（第１孔部）
７１  ビス孔（第１孔部）
Ｂ  ビス（第１固定部材）
１２、４２、５２  貫通孔（第２孔部）
２０  シャーシ側補強体（補強体）
２２  ビス孔（第２孔部）
Ｃ  ビス（第２固定部材）
Ｕ１  第１ユニット
Ｕ２  第２ユニット
Ｄ、Ｅ  ビス
２５  連結板
２６、２７  貫通孔
２３、７４  ビス孔
【図１】
2009115917.tif 000003
【図２】
2009115917.tif 000004
【図３】
2009115917.tif 000005
【図４】
2009115917.tif 000006
【図５】
2009115917.tif 000007
【図６】
2009115917.tif 000008
【図７】
2009115917.tif 000009
【図８】
2009115917.tif 000010
【図９】
2009115917.tif 000011